(57)【要約】【課題】容器本体内の正圧が注出孔を通して中栓に及ぼされても、中栓がキャップ本体に対して浮き上がるのを抑制する。【解決手段】容器本体Ｗの口部Ｗ１に装着される有頂筒状のキャップ本体１１と、キャップ本体の天壁部１２を開閉する蓋体１３と、天壁部と蓋体との間に配設された中栓１４と、を備えるキャップ１であって、天壁部に、内容物の注出孔１５と、注出孔を径方向の外側から囲う固定筒１６と、が形成され、中栓は、固定筒に嵌合されて固定された嵌合筒２６と、注出孔を上方から覆って封止する封止筒２７と、嵌合筒と封止筒とを連結した破断可能な弱化部２８と、を備え、蓋体には、天壁部を開放したときに、封止筒に設けられた係止部２７ａに対してこの係止部の下方から係合し、封止筒の蓋体からの脱落を規制する規制部２５が配設されている。【選択図】図１
2020138763.tif 000002
【特許請求の範囲】
【請求項１】
容器本体の口部に装着される有頂筒状のキャップ本体と、
前記キャップ本体の天壁部を開閉する蓋体と、
前記天壁部と前記蓋体との間に配設された中栓と、を備えるキャップであって、
前記天壁部に、内容物の注出孔と、前記注出孔を径方向の外側から囲う固定筒と、が形成され、
前記中栓は、
前記固定筒に嵌合されて固定された嵌合筒と、
前記注出孔を上方から覆って封止する封止筒と、
前記嵌合筒と前記封止筒とを連結した破断可能な弱化部と、を備え、
前記蓋体には、前記天壁部を開放したときに、前記封止筒に設けられた係止部に対してこの係止部の下方から係合し、前記封止筒の前記蓋体からの脱落を規制する規制部が配設されている、キャップ。
【請求項２】
前記蓋体は、前記キャップ本体にヒンジ部を介して連結されている、請求項１に記載のキャップ。
【請求項３】
前記弱化部は、キャップ軸を径方向に挟む前記ヒンジ部の反対側から周方向に離れた位置に配設されている、請求項２に記載のキャップ。
【請求項４】
前記封止筒は、前記注出孔内に嵌合されたシール筒を備える、請求項１から３のいずれか１項に記載のキャップ。
【請求項５】
前記封止筒は、前記シール筒を径方向の外側から囲い、かつ前記弱化部を介して前記嵌合筒に連結された外筒を備え、
前記天壁部の上面は、
前記固定筒が形成された環状の外周部と、
前記外周部に対して径方向の内側で、かつ上方に位置して内側が前記注出孔とされた環状の内周部と、
前記外周部と前記内周部とを連結し、径方向の外側を向く段部と、を備え、
前記外筒は、前記段部に外嵌されている、請求項４に記載のキャップ。
【発明の詳細な説明】
【技術分野】
【０００１】
本発明は、キャップに関するものである。
【背景技術】
【０００２】
従来から、例えば下記特許文献１に示されるような、容器本体の口部に装着される有頂筒状のキャップ本体と、キャップ本体のうち、内容物の注出孔が形成された天壁部を開閉する蓋体と、天壁部と蓋体との間に配設され注出孔を開閉する中栓と、を備えていて、注出孔を閉塞した除去可能な抜栓部を有しないキャップが知られている。
【先行技術文献】
【特許文献】
【０００３】
【特許文献１】特開２０１７−１５４７４８号公報
【発明の概要】
【発明が解決しようとする課題】
【０００４】
しかしながら、前記従来のキャップでは、例えば容器本体に対して、高温の内容物を充填して密封したとき等、容器本体内の正圧が注出孔を通して中栓に及ぼされたときに、中栓がキャップ本体に対して浮き上がるおそれがあった。
【０００５】
本発明は、このような事情を考慮してなされたもので、容器本体内の正圧が注出孔を通して中栓に及ぼされても、中栓がキャップ本体に対して浮き上がるのを抑制することができるキャップを提供することを目的とする。
【課題を解決するための手段】
【０００６】
上記課題を解決して、このような目的を達成するために、本発明のキャップは、容器本体の口部に装着される有頂筒状のキャップ本体と、前記キャップ本体の天壁部を開閉する蓋体と、前記天壁部と前記蓋体との間に配設された中栓と、を備えるキャップであって、前記天壁部に、内容物の注出孔と、前記注出孔を径方向の外側から囲う固定筒と、が形成され、前記中栓は、前記固定筒に嵌合されて固定された嵌合筒と、前記注出孔を上方から覆って封止する封止筒と、前記嵌合筒と前記封止筒とを連結した破断可能な弱化部と、を備え、前記蓋体には、前記天壁部を開放したときに、前記封止筒に設けられた係止部に対してこの係止部の下方から係合し、前記封止筒の前記蓋体からの脱落を規制する規制部が配設されている。
【０００７】
この発明によれば、蓋体を天壁部に対して上方に移動させると、蓋体の規制部が封止筒の係止部に係合することで、封止筒が蓋体とともに天壁部に対して上方に移動する。この際、封止筒に弱化部を介して連結されている嵌合筒が、天壁部の固定筒に固定されているので、弱化部が引張力により破断され、封止筒が嵌合筒に対して分離される。これにより、天壁部および注出孔が開放される。
そして、この開放状態では、天壁部の上面に、嵌合筒、および弱化部の破断縁が位置していて、これらを視認することが可能になることから、キャップが未開封状態から開封状態に移行したことを使用者に認識させることができる。
中栓が、固定筒に嵌合されて固定された嵌合筒を備えているので、容器本体内の正圧が注出孔を通して中栓に及ぼされても、中栓がキャップ本体に対して浮き上がるのを抑制することができる。
【０００８】
ここで、前記蓋体は、前記キャップ本体にヒンジ部を介して連結されてもよい。
【０００９】
この場合、蓋体が、キャップ本体にヒンジ部を介して連結されているので、蓋体の開閉操作を容易に行うことができるとともに、蓋体、キャップ本体、およびヒンジ部が一体に形成されている場合には、部品点数を抑えることができる。
【００１０】
また、前記弱化部は、キャップ軸を径方向に挟む前記ヒンジ部の反対側から周方向に離れた位置に配設されてもよい。
【００１１】
この場合、弱化部が、キャップ軸を径方向に挟むヒンジ部の反対側から周方向に離れた位置に配設されているので、蓋体をヒンジ部回りに上方に向けて回転させたときに、封止筒のうち、キャップ軸を径方向に挟むヒンジ部の反対側に位置する部分が、弱化部により下方に引張されることがなく、蓋体に追従した封止筒の上方移動が抑止されるのを防ぐことが可能になり、容易に開封することができる。
【００１２】
また、前記封止筒は、前記注出孔内に嵌合されたシール筒を備えてもよい。
【００１３】
この場合、封止筒が、注出孔内に嵌合されたシール筒を備えるので、天壁部に対する中栓の上方移動を抑制する部分として、中栓が、嵌合筒だけでなくシール筒も備えることとなり、未開封状態での天壁部に対する中栓の装着強度を向上させることが可能になり、中栓のキャップ本体に対する前述の浮き上がりを確実に抑制することができる。
【００１４】
また、前記封止筒は、前記シール筒を径方向の外側から囲い、かつ前記弱化部を介して前記嵌合筒に連結された外筒を備え、前記天壁部の上面は、前記固定筒が形成された環状の外周部と、前記外周部に対して径方向の内側で、かつ上方に位置して内側が前記注出孔とされた環状の内周部と、前記外周部と前記内周部とを連結し、径方向の外側を向く段部と、を備え、前記外筒は、前記段部に外嵌されてもよい。
【００１５】
この場合、封止筒の外筒が、天壁部の上面の段部に外嵌されているので、天壁部に対する中栓の上方移動を抑制する部分として、中栓が、嵌合筒、およびシール筒だけでなく外筒も備えることとなり、未開封状態での天壁部に対する中栓の装着強度を確実に向上させることが可能になり、中栓のキャップ本体に対する前述の浮き上がりをより一層確実に抑制することができる。
封止筒が外筒を備えるので、中栓をキャップ本体に組み付ける際に、中栓およびキャップ本体の相対的な位置が決められることとなり、この組み付けを容易に行うことができるとともに、中栓が、キャップ本体に組み付けられる前の単独の部品の状態で、シール筒に外力が加わりにくくなり、シール筒の変形を抑制することが可能になり、シール筒により注出孔を確実にシールすることができる。
【発明の効果】
【００１６】
本発明によれば、容器本体内の正圧が注出孔を通して中栓に及ぼされても、中栓がキャップ本体に対して浮き上がるのを抑制することができる。
【図面の簡単な説明】
【００１７】
【図１】本発明に係る一実施形態として示したキャップの縦断面図である。
【図２】図１に示すキャップの開封状態を示す図である。
【図３】図１に示す中栓の上面図である。
【発明を実施するための形態】
【００１８】
以下、図面を参照し、本発明の一実施形態に係るキャップ１について説明する。
本実施形態のキャップ１は、図１から図３に示されるように、容器本体Ｗの口部Ｗ１に装着される有頂筒状のキャップ本体１１と、キャップ本体１１の天壁部１２を開閉する蓋体１３と、天壁部１２と蓋体１３との間に配設された中栓１４と、を備えている。
【００１９】
図示の例では、蓋体１３は有頂筒状に形成され、中栓１４は筒状に形成されており、蓋体１３、中栓１４、およびキャップ本体１１は、共通軸と同軸に配設されている。以下、この共通軸をキャップ軸Ｏといい、キャップ軸Ｏに沿って、蓋体１３の頂壁部３５側を上側といい、キャップ本体１１の周壁部３６の開放端側を下側という。上下方向から見て、キャップ軸Ｏに交差する方向を径方向といい、キャップ軸Ｏ回りに周回する方向を周方向という。
【００２０】
天壁部１２に、内容物の注出孔１５と、注出孔１５を径方向の外側から囲う固定筒１６と、固定筒１６より径方向の内側に配設され、内側が注出孔１５とされた注出筒１７と、が形成されている。
注出孔１５、固定筒１６、および注出筒１７は、キャップ軸Ｏと同軸に配設されている。なお、天壁部１２に、注出筒１７を形成しなくてもよい。
【００２１】
注出孔１５は、天壁部１２を上下方向に貫いている。注出筒１７は、天壁部１２の上面における注出孔１５の開口周縁部から上方に向けて突出している。
固定筒１６は、天壁部１２の上面の外周縁部から上方に向けて突出している。固定筒１６は、周方向の全域にわたって連続して延びている。固定筒１６の上端部は、注出筒１７の上端部より下方に位置している。固定筒１６には、径方向の内側に向けて突出した内側係止突部１６ａ、および径方向の外側に向けて突出した外側係止突部１６ｂが形成されている。
天壁部１２の下面に、下方に向けて延び、口部Ｗ１内に嵌合される容器嵌合筒３４が形成されている。容器嵌合筒３４は、キャップ軸Ｏと同軸に配設されている。容器嵌合筒３４は、天壁部１２の下面のうち、固定筒１６より径方向の内側に位置する部分に配設されている。
【００２２】
天壁部１２の下面、容器嵌合筒３４の外周面、およびキャップ本体１１の周壁部３６の内周面により、下方に向けて開口し、かつ周方向の全域にわたって連続して延びるとともに、キャップ軸Ｏと同軸に配設された環状溝が画成されている。この環状溝内に口部Ｗ１が差し込まれている。天壁部１２の下面に、口部Ｗ１の上端開口縁が当接し、容器嵌合筒３４は、口部Ｗ１の内側をシールする。キャップ本体１１の周壁部３６の内周面に、口部Ｗ１の外周面に形成された容器係止突部にアンダーカット嵌合するアンダーカット突部が形成されている。
【００２３】
注出孔１５の内側に、シール補助筒２２が配設されている。シール補助筒２２は、キャップ軸Ｏと同軸に配設されている。シール補助筒２２の上端部は、注出筒１７の上端部より下方に位置している。シール補助筒２２の下端開口縁、および天壁部１２の下面における注出孔１５の開口周縁部それぞれの上下方向の位置は、互いに同等になっている。シール補助筒２２の外周面と、注出孔１５の内周面と、の間の径方向の隙間は、中栓１４の後述するシール筒２９の下端部の厚さ以下となっている。シール補助筒２２の外周面、および注出孔１５の内周面それぞれの下端部同士は、周方向に間隔をあけて配設された複数の連結片３３を介して連結されている。
なお、シール補助筒２２、および連結片３３を有しない構成を採用してもよい。
【００２４】
天壁部１２の上面は、固定筒１６が形成された環状の外周部１８と、外周部１８に対して径方向の内側で、かつ上方に位置して内側が注出孔１５とされた環状の内周部１９と、外周部１８と内周部１９とを連結し、径方向の外側を向く段部２０と、を備えている。
【００２５】
外周部１８の下面に、容器嵌合筒３４が形成されている。
段部２０の上端部は、下方に向かうに従い、径方向の外側に向けて延びている。段部２０の下部に、径方向の外側に向けて突出し、周方向の全域にわたって連続して延びる突条部２０ａが形成されている。突条部２０ａは、中栓１４の後述する外筒３０の下端部内に、離脱可能に密に嵌合されている。
【００２６】
蓋体１３は、キャップ本体１１の周壁部３６にヒンジ部２１を介して連結されている。蓋体１３、キャップ本体１１、およびヒンジ部２１は一体に形成されている。
蓋体１３の周壁部２４は、固定筒１６に着脱可能に外嵌されている。蓋体１３の周壁部２４の内周面に、固定筒１６の外側係止突部１６ｂにアンダーカット嵌合するアンダーカット突部２４ａが形成されている。蓋体１３の周壁部２４の下端部において、キャップ軸Ｏを径方向に挟むヒンジ部２１の反対側に位置する部分に、径方向の外側に向けて突出した操作突片２３が形成されている。
【００２７】
蓋体１３の頂壁部３５に、下方に向けて突出した筒状の規制部２５が形成されている。規制部２５は、キャップ軸Ｏと同軸に配設されている。規制部２５に、径方向の内側に向けて突出した規制突部２５ａが形成されている。規制突部２５ａは、周方向の全域にわたって連続して延びてもよいし、間欠的に延びてもよいし、点在してもよい。規制部２５の下端開口縁は、天壁部１２の上面のうちの外周部１８と上下方向で対向している。
【００２８】
中栓１４は、固定筒１６に嵌合されて固定された嵌合筒２６と、注出孔１５を上方から覆って封止する封止筒２７と、嵌合筒２６と封止筒２７とを連結した破断可能な弱化部２８と、を備えている。中栓１４は、蓋体１３の頂壁部３５の下面から下方に離れている。
【００２９】
嵌合筒２６は、固定筒１６内に嵌合されている。なお、嵌合筒２６は、固定筒１６に外嵌されてもよい。嵌合筒２６の外周面に、固定筒１６の内側係止突部１６ａにアンダーカット嵌合するアンダーカット突部２６ａが形成されている。嵌合筒２６、および固定筒１６それぞれの上端部の上下方向の位置は互いに同等になっている。嵌合筒２６の下端開口縁は、天壁部１２の外周部１８に当接している。嵌合筒２６は、天壁部１２の段部２０から径方向の外側に離れている。
【００３０】
封止筒２７は、注出孔１５内に嵌合されたシール筒２９と、シール筒２９を径方向の外側から囲い、かつ弱化部２８を介して嵌合筒２６に連結された外筒３０と、シール筒２９および外筒３０の上端部同士を連結した環状の頂板３１と、シール筒２９の内側を閉塞する閉塞板３２と、を備えている。
【００３１】
シール筒２９の下端部は、外筒３０の下端部より上方に位置している。シール筒２９の下端部の外径は、注出孔１５の内径より大きく、シール筒２９の下端部は、注出孔１５内に弾性変形した状態で嵌合されている。シール筒２９は、注出孔１５の内周面、およびシール補助筒２２の外周面の双方に密に当接している。シール筒２９の上端部は、注出孔１５より上方に位置し、かつ蓋体１３の頂壁部３５の下面から下方に離れている。
【００３２】
閉塞板３２の外周縁は、シール筒２９の内周面のうち、シール補助筒２２に外嵌された下端部より上方に位置する部分に連結されている。
頂板３１は、注出筒１７の上端開口縁を上方から覆っている。頂板３１の下面は、注出筒１７の上端開口縁より上方に位置している。頂板３１の上面は、蓋体１３の頂壁部３５の下面より下方に位置している。なお、頂板３１の上面は、蓋体１３の頂壁部３５の下面に当接してもよい。
【００３３】
外筒３０は、天壁部１２の段部２０に外嵌されている。外筒３０の内周面は、全域にわたって平滑に形成されている。外筒３０の下端開口縁は、天壁部１２の外周部１８に当接、若しくは近接している。外筒３０の上端部は、蓋体１３の頂壁部３５の下面から下方に離れた状態で、規制部２５内に挿入されている。外筒３０の外周面は、規制部２５の内周面から径方向の内側に離れている。
【００３４】
外筒３０の外周面に、径方向の外側に向けて突出した係止部２７ａが形成されている。係止部２７ａは、外筒３０の上端部に配設されている。係止部２７ａは、蓋体１３の規制部２５に形成された規制突部２５ａに、規制突部２５ａの上方から当接、若しくは近接している。これにより、規制突部２５ａは、蓋体１３が天壁部１２を開放したときに、係止部２７ａに対して係止部２７ａの下方から係合することで、封止筒２７の蓋体１３からの脱落を規制する。
【００３５】
図３に示されるように、係止部２７ａは、周方向に間隔をあけて複数配設されている。複数の係止部２７ａの周方向の大きさは、互いに同等になっている。係止部２７ａは、外筒３０の外周面において、キャップ軸Ｏを径方向に挟むヒンジ部２１の反対側に位置する部分Ｘから周方向に離れた位置に配設されている。
【００３６】
周方向で互いに隣り合う係止部２７ａ同士の間の間隔の大きさは、外筒３０の外周面における前記部分Ｘを含む間隔において最も大きく、残りの複数の間隔では、互いに同等になっている。このうち、最大となる間隔の大きさは、外筒３０の外周面のうち、ヒンジ部２１における周方向の中央部と、キャップ軸Ｏと、を通る直線Ｌに対して、キャップ軸Ｏを中心に約±３０°の角度範囲にわたる部分の周長とほぼ同等になっている。
【００３７】
弱化部２８は、周方向に間隔をあけて複数配設されている。弱化部２８は、外筒３０の外周面と、嵌合筒２６と、を連結している。弱化部２８は、外筒３０の外周面、および嵌合筒２６それぞれの下端部同士を連結している。
弱化部２８は、外筒３０の外周面における前記部分Ｘから周方向に離れた位置に配設されている。弱化部２８は、外筒３０の外周面のうち、複数の係止部２７ａが設けられている周方向の各位置から周方向に離れた位置に配設されている。複数の弱化部２８は、複数の係止部２７ａの全てに対して各別に周方向に近接している。
【００３８】
周方向で互いに隣り合う弱化部２８同士の間の間隔の大きさは、外筒３０の外周面における前記部分Ｘを含む間隔において最も大きく、残りの複数の間隔では、互いに同等になっている。このうち、最大となる間隔の大きさは、周方向で互いに隣り合う係止部２７ａ同士の間の複数の間隔のなかで最大となる間隔の大きさよりわずかに小さくなっている。複数の弱化部２８のうち、外筒３０の外周面における前記部分Ｘを周方向に挟み、かつ周方向の間隔が最も大きい２つの弱化部２８は、複数の係止部２７ａのうち、外筒３０の外周面における前記部分Ｘを周方向に挟み、かつ周方向の間隔が最も大きい２つの係止部２７ａに対して各別に周方向に近接している。
図３に示されるような中栓１４の上面視において、複数の弱化部２８、および複数の係止部２７ａは、互いに重複することなく全て視認可能となっている。
【００３９】
以上説明したように、本実施形態によるキャップ１によれば、蓋体１３を天壁部１２に対して上方に移動させると、蓋体１３の規制部２５が封止筒２７の係止部２７ａに係合することで、封止筒２７が蓋体１３とともに天壁部１２に対して上方に移動する。この際、封止筒２７に弱化部２８を介して連結されている嵌合筒２６が、天壁部１２の固定筒１６に固定されているので、弱化部２８が引張力により破断され、封止筒２７が嵌合筒２６に対して分離される。これにより、天壁部１２および注出孔１５が開放される。
【００４０】
そして、この開放状態では、天壁部１２の上面に、嵌合筒２６、および弱化部２８の破断縁が位置していて、これらを視認することが可能になることから、キャップ１が未開封状態から開封状態に移行したことを使用者に認識させることができる。
中栓１４が、固定筒１６に嵌合されて固定された嵌合筒２６を備えているので、容器本体Ｗ内の正圧が注出孔１５を通して中栓１４に及ぼされても、中栓１４がキャップ本体１１に対して浮き上がるのを抑制することができる。
【００４１】
蓋体１３が、キャップ本体１１にヒンジ部２１を介して連結されているので、蓋体１３の開閉操作を容易に行うことができる。蓋体１３、キャップ本体１１、およびヒンジ部２１が一体に形成されているので、部品点数を抑えることができる。
【００４２】
弱化部２８が、キャップ軸Ｏを径方向に挟むヒンジ部２１の反対側から周方向に離れた位置に配設されているので、蓋体１３をヒンジ部２１回りに上方に向けて回転させたときに、外筒３０の外周面における前記部分Ｘが、弱化部２８により下方に引張されることがなく、蓋体１３に追従した封止筒２７の上方移動が抑止されるのを防ぐことが可能になり、容易に開封することができる。
【００４３】
封止筒２７が、注出孔１５内に嵌合されたシール筒２９を備えるので、天壁部１２に対する中栓１４の上方移動を抑制する部分として、中栓１４が、嵌合筒２６だけでなくシール筒２９も備えることとなり、未開封状態での天壁部１２に対する中栓１４の装着強度を向上させることが可能になり、中栓１４のキャップ本体１１に対する前述の浮き上がりを確実に抑制することができる。
【００４４】
封止筒２７の外筒３０が、天壁部１２の上面の段部２０に外嵌されているので、天壁部１２に対する中栓１４の上方移動を抑制する部分として、中栓１４が、嵌合筒２６、およびシール筒２９だけでなく外筒３０も備えることとなり、未開封状態での天壁部１２に対する中栓１４の装着強度を確実に向上させることが可能になり、中栓１４のキャップ本体１１に対する前述の浮き上がりをより一層確実に抑制することができる。
【００４５】
封止筒２７が外筒３０を備えるので、中栓１４をキャップ本体１１に組み付ける際に、中栓１４およびキャップ本体１１の相対的な位置が決められることとなり、この組み付けを容易に行うことができるとともに、中栓１４が、キャップ本体１１に組み付けられる前の単独の部品の状態で、シール筒２９に外力が加わりにくくなり、シール筒２９の変形を抑制することが可能になり、シール筒２９により注出孔１５を確実にシールすることができる。
【００４６】
注出孔１５の内側に、シール補助筒２２が配設され、シール筒２９が、注出孔１５の内周面、およびシール補助筒２２の外周面の双方に密に当接しているので、未開封状態での天壁部１２に対する中栓１４の装着強度を確実に向上させることが可能になり、中栓１４のキャップ本体１１に対する前述の浮き上がりをより一層確実に抑制することができるとともに、注出孔１５のシール性を確実に確保することができる。
【００４７】
本発明は上記した実施の形態に限定されるものではなく、その趣旨を逸脱しない範囲で適宜変更可能である。
【００４８】
例えば  前記実施形態では、蓋体１３が、キャップ本体１１にヒンジ部２１を介して連結されたヒンジキャップを示したが、蓋体１３が、ヒンジ部２１を介してキャップ本体１１に連結されておらず、キャップ本体１１に着脱可能に螺着された構成等を採用してもよい。
封止筒２７は、例えば外筒３０、若しくはシール筒２９を有しない構成を採用する等、適宜変更してもよい。
キャップ本体１１の天壁部１２の上面を、全域にわたって平坦に形成してもよい。
弱化部２８、および係止部２７ａを、キャップ軸Ｏを径方向に挟むヒンジ部２１の反対側に位置させてもよい。
【００４９】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００５０】
１  キャップ
１１  キャップ本体
１２  天壁部
１３  蓋体
１４  中栓
１５  注出孔
１６  固定筒
１８  外周部
１９  内周部
２０  段部
２１  ヒンジ部
２５  規制部
２６  嵌合筒
２７  封止筒
２７ａ  係止部
２８  弱化部
２９  シール筒
３０  外筒
Ｏ  キャップ軸
Ｗ  容器本体
Ｗ１  口部
【図１】
2020138763.tif 000003
【図２】
2020138763.tif 000004
【図３】
2020138763.tif 000005